(57)【特許請求の範囲】
【請求項１】
複数の絵柄を第１絵柄〜第ｍ絵柄から成るｍ個の絵柄とするとき、基準線と成す角度が互いに異なる第１万線パターン〜第（ｍ＋１）万線パターンの（ｍ＋１）個の万線パターンが用いられ、
前記第１絵柄〜第ｍ絵柄のいずれかが単独で存在する領域は、その絵柄に対応する前記第１万線パターン〜第ｍ万線パターンのいずれか１つと前記第（ｍ＋１）万線パターンを含む前記配列した万線パターンの組みが割り当てられ、
前記第１絵柄〜第ｍ絵柄のいずれかが重なっている領域は、その重なっている絵柄に対応する前記第１万線パターン〜第ｍ万線パターンのすべてと前記第（ｍ＋１）万線パターンを含む前記配列した万線パターンの組みが割り当てられ、
前記第１絵柄〜第ｍ絵柄のいずれも含まない領域（背景領域）は、前記第（ｍ＋１）万線パターンだけから成る前記配列した万線パターンの組みが割り当てられている万線角度の異なる複数の万線パターンを用い長手方向が基準線の方向と一致する帯状の万線パターンの組として複数の絵柄を表現する箔押し用版の製造方法であって、
絵柄記憶手段により、前記複数の絵柄を記憶し、
万線パターン生成手段により、前記絵柄記憶手段に記憶されている前記複数の絵柄を第１絵柄〜第ｍ絵柄から成るｍ個の絵柄とするとき、基準線と万線の成す角度が互いに異なる第１万線パターン〜第（ｍ＋１）万線パターンから成る（ｍ＋１）個の万線パターンを生成し万線パターン記憶手段に記憶する配置指示入力に基づいて、前記第１絵柄〜第ｍ絵柄を配置して配置画像を生成し配置画像記憶手段に記憶し、
帯画像領域生成手段により、前記配置画像記憶手段に記憶されている配置画像を前記基準線に平行な所定の間隔の境界線によって区分し第１〜Ｎ番目のＮ個の帯画像領域を生成し帯画像領域記憶手段に記憶し、
万線画像生成手段により、ｐを１，２，・・・，ｍかつｑを０，１，２，・・・かつ（ｐ＋ｑ×ｍ）≦Ｎの条件下において前記帯画像領域記憶手段が記憶する第（ｐ＋ｑ×ｍ）番目の帯画像領域でかつ前記第ｐ絵柄が存在する部分を前記配置画像記憶手段が記憶する前記配置画像に基づいて判定し該部分に前記万線パターン記憶手段が記憶する前記第ｐ万線パターンを貼り付け、前記条件下において前記帯画像領域記憶手段が記憶する前記第（ｐ＋ｑ×ｍ）番目の帯画像領域でかつ前記第ｐ絵柄が存在しない部分を前記配置画像記憶手段が記憶する前記配置画像に基づいて判定し該部分に前記万線パターン記憶手段が記憶する前記第（ｍ＋１）万線パターンを貼り付けることにより万線画像を生成し万線画像記憶手段に記憶して箔押し用版を製版するための原画を作成し、
つぎに、フィルム出力手段により、前記万線画像を透明フィルムに形成し原版フィルムを生成し、
露光手段により、感光性レジスト膜を形成した箔押し用版に用いる金属板において、前記感光性レジスト膜と前記原版フィルムとを密着露光し、
現像手段により、前記露光済の感光性レジスト膜を現像し、
腐食手段により、前記現像済の感光性レジスト膜を介して前記箔押し用版に用いる金属板をエッチングし、
剥離手段により、前記エッチング済の箔押し用版に用いる金属板から前記現像済の感光性レジスト膜を剥離することを特徴とする箔押し用版の製造方法。
【請求項２】
万線角度の異なる複数の万線パターンを用い長手方向が基準線の方向と一致する帯状の万線パターンの組として複数の絵柄を表現する箔押し用版の製版システムであって、
前記複数の絵柄を記憶する絵柄記憶手段と、
前記絵柄記憶手段に記憶されている前記複数の絵柄を第１絵柄〜第ｍ絵柄から成るｍ個の絵柄とするとき、基準線と万線の成す角度が互いに異なる第１万線パターン〜第（ｍ＋１）万線パターンから成る（ｍ＋１）個の万線パターンを生成し万線パターン記憶手段に記憶する万線パターン生成手段と、
配置指示入力に基づいて、前記第１絵柄〜第ｍ絵柄を配置して配置画像を生成し配置画像記憶手段に記憶する絵柄配置手段と、
前記配置画像記憶手段に記憶されている配置画像を前記基準線に平行な所定の間隔の境界線によって区分し第１〜Ｎ番目のＮ個の帯画像領域を生成し帯画像領域記憶手段に記憶する帯画像領域生成手段と、
ｐを１，２，・・・，ｍかつｑを０，１，２，・・・かつ（ｐ＋ｑ×ｍ）≦Ｎの条件下において前記帯画像領域記憶手段が記憶する第（ｐ＋ｑ×ｍ）番目の帯画像領域でかつ前記第ｐ絵柄が存在する部分を前記配置画像記憶手段が記憶する前記配置画像に基づいて判定し該部分に前記万線パターン記憶手段が記憶する前記第ｐ万線パターンを貼り付け、前記条件下において前記帯画像領域記憶手段が記憶する前記第（ｐ＋ｑ×ｍ）番目の帯画像領域でかつ前記第ｐ絵柄が存在しない部分を前記配置画像記憶手段が記憶する前記配置画像に基づいて判定し該部分に前記万線パターン記憶手段が記憶する前記第（ｍ＋１）万線パターンを貼り付けることにより万線画像を生成し万線画像記憶手段に記憶する万線画像生成手段と、
を有することを特徴とする箔押し用版製版システム。
【請求項３】
請求項２記載の箔押し用版製版システムにおいて、前記万線画像を透明フィルムに形成し原版フィルムを生成するフィルム出力手段と、
感光性レジスト膜を形成した箔押し用版に用いる金属板において、前記感光性レジスト膜と前記原版フィルムとを密着露光する露光手段と、
前記露光済の感光性レジスト膜を現像する現像手段と、
前記現像済の感光性レジスト膜を介して前記箔押し用版に用いる金属板をエッチングする腐食手段と、
前記エッチング済の箔押し用版に用いる金属板から前記現像済の感光性レジスト膜を剥離する剥離手段と、
を有することを特徴とする箔押し用版製版システム。
【発明の詳細な説明】
【０００１】
【発明の属する技術分野】
本発明は箔押しの技術分野に属する。特に、照明の方向や見る角度により異なる絵柄が強調表示される箔押し部を紙器、カード等の基材シート表面に形成するための箔押し用版とその製造システムに関する。
【０００２】
【従来技術】
箔押し用の箔シートは、基材フィルムの表面に剥離層を形成し、さらにその剥離層の表面に金属箔（金属圧延箔、金属蒸着層箔、着色層箔）を仮接着し、さらにその金属箔の表面に加熱溶融接着層を形成した構成を有する。そして、箔押しを行う場合には、上記の箔シートの加熱溶融接着層と基材シートが対向するように配置し、その箔シートの上方から箔押し用版により加熱押圧する。金属箔と加熱溶融接着層から成る箔層は、加熱押圧により加熱溶融接着層が溶融して接着性を発現する。したがって、箔層における箔押し用版の凸部において加熱押圧された部位だけが基材シートに転写接着する。箔層におけるその他の部位は基材シートに転写接着されず、箔シートの基材フィルムに残る。
【０００３】
このとき、箔押し用版の凸部に凹凸絵柄が形成されている場合にはエンボシングされ、基材シートには箔層が転写接着するとともに凹凸絵柄が形成される。基材シートにおける凹凸絵柄が形成された箔押し部位は、金属光沢とともに絵柄が浮き出て、通常の印刷では得られない意匠効果を有する。特に、凹凸絵柄が万線パターンによって形成されている場合には、照明の方向や見る角度によって反射強度が変化し独特の意匠効果を得ることができる。照明の方向や見る角度によって、２つの絵柄の内の１つを明瞭に視認できるように凹凸絵柄によって表現することも行われる。
【０００４】
このような、凹凸絵柄を有する箔押し用版を製版する従来の方法においては、まず、作画ソフトを組み込んだコンピュータシステムにおいて、デザイナーが手作業により原画をデザインすることが行われる。そして、その原画からフィルム原版を作成し、フォトレジスト膜を形成した箔押し用版の金属基板にそのフィルム原版を焼き付け現像する。そのレジストパターンを有する金属基板にエッチング技術を適用して凹凸絵柄を有する箔押し用版が作成される。
【０００５】
【発明が解決しようとする課題】
上述のように、照明の方向や見る角度によって２つの絵柄の内の１つを明瞭に視認できるように凹凸絵柄によって表現することが行われる。しかし、従来においては２つの絵柄の一方がやや強調されるにとどまり、１つだけを明瞭に視認できるようにはできない。特に、２つ以上の絵柄が重なって存在するような場合には、品質において十分に満足できるものではできてない。
【０００６】
また、上述のように、その箔押し用版は、デザイナーが手作業により原画をデザインすることによって作成される。万線パターンの場合には、万線を一本々々描き加える作業となるため極めて負荷が大きい。その上、原画においては品質を把握することができないため、箔押し用版を作成し実際に箔押しを行ってみて評価し、原画を修正する繰り返し作業となる。
【０００７】
本発明はこのような問題を解決するためになされたものであり、その目的は、２つ以上の絵柄が重なって存在するような場合においても、照明の方向や見る角度によって２つ以上の絵柄の内の１つを明瞭に視認できる箔押しを得るための箔押し用版を提供することにある。またその箔押し用版の原画を自動生成し、作業負荷を大幅に軽減することができる製版システムを提供することにある。
【０００８】
【課題を解決するための手段】
上記課題は下記の本発明によって解決される。すなわち、本発明の請求項１に係る箔押し用版の製造方法は、複数の絵柄を第１絵柄〜第ｍ絵柄から成るｍ個の絵柄とするとき、基準線と成す角度が互いに異なる第１万線パターン〜第（ｍ＋１）万線パターンの（ｍ＋１）個の万線パターンが用いられ、前記第１絵柄〜第ｍ絵柄のいずれかが単独で存在する領域は、その絵柄に対応する前記第１万線パターン〜第ｍ万線パターンのいずれか１つと前記第（ｍ＋１）万線パターンを含む前記配列した万線パターンの組みが割り当てられ、前記第１絵柄〜第ｍ絵柄のいずれかが重なっている領域は、その重なっている絵柄に対応する前記第１万線パターン〜第ｍ万線パターンのすべてと前記第（ｍ＋１）万線パターンを含む前記配列した万線パターンの組みが割り当てられ、前記第１絵柄〜第ｍ絵柄のいずれも含まない領域（背景領域）は、前記第（ｍ＋１）万線パターンだけから成る前記配列した万線パターンの組みが割り当てられている万線角度の異なる複数の万線パターンを用い長手方向が基準線の方向と一致する帯状の万線パターンの組として複数の絵柄を表現する箔押し用版の製造方法であって、絵柄記憶手段により、前記複数の絵柄を記憶し、万線パターン生成手段により、前記絵柄記憶手段に記憶されている前記複数の絵柄を第１絵柄〜第ｍ絵柄から成るｍ個の絵柄とするとき、基準線と万線の成す角度が互いに異なる第１万線パターン〜第（ｍ＋１）万線パターンから成る（ｍ＋１）個の万線パターンを生成し万線パターン記憶手段に記憶する配置指示入力に基づいて、前記第１絵柄〜第ｍ絵柄を配置して配置画像を生成し配置画像記憶手段に記憶し、帯画像領域生成手段により、前記配置画像記憶手段に記憶されている配置画像を前記基準線に平行な所定の間隔の境界線によって区分し第１〜Ｎ番目のＮ個の帯画像領域を生成し帯画像領域記憶手段に記憶し、万線画像生成手段により、ｐを１，２，・・・，ｍかつｑを０，１，２，・・・かつ（ｐ＋ｑ×ｍ）≦Ｎの条件下において前記帯画像領域記憶手段が記憶する第（ｐ＋ｑ×ｍ）番目の帯画像領域でかつ前記第ｐ絵柄が存在する部分を前記配置画像記憶手段が記憶する前記配置画像に基づいて判定し該部分に前記万線パターン記憶手段が記憶する前記第ｐ万線パターンを貼り付け、前記条件下において前記帯画像領域記憶手段が記憶する前記第（ｐ＋ｑ×ｍ）番目の帯画像領域でかつ前記第ｐ絵柄が存在しない部分を前記配置画像記憶手段が記憶する前記配置画像に基づいて判定し該部分に前記万線パターン記憶手段が記憶する前記第（ｍ＋１）万線パターンを貼り付けることにより万線画像を生成し万線画像記憶手段に記憶して箔押し用版を製版するための原画を作成し、
つぎに、フィルム出力手段により、前記万線画像を透明フィルムに形成し原版フィルムを生成し、露光手段により、感光性レジスト膜を形成した箔押し用版に用いる金属板において、前記感光性レジスト膜と前記原版フィルムとを密着露光し、現像手段により、前記露光済の感光性レジスト膜を現像し、腐食手段により、前記現像済の感光性レジスト膜を介して前記箔押し用版に用いる金属板をエッチングし、剥離手段により、前記エッチング済の箔押し用版に用いる金属板から前記現像済の感光性レジスト膜を剥離することを特徴とする箔押し用版の製造方法である。
【０００９】
また、本発明の請求項２に係る箔押し用版製版システムは、万線角度の異なる複数の万線パターンを用い長手方向が基準線の方向と一致する帯状の万線パターンの組として複数の絵柄を表現する箔押し用版の製版システムであって、前記複数の絵柄を記憶する絵柄記憶手段と、前記絵柄記憶手段に記憶されている前記複数の絵柄を第１絵柄〜第ｍ絵柄から成るｍ個の絵柄とするとき、基準線と万線の成す角度が互いに異なる第１万線パターン〜第（ｍ＋１）万線パターンから成る（ｍ＋１）個の万線パターンを生成し万線パターン記憶手段に記憶する万線パターン生成手段と、配置指示入力に基づいて、前記第１絵柄〜第ｍ絵柄を配置して配置画像を生成し配置画像記憶手段に記憶する絵柄配置手段と、前記配置画像記憶手段に記憶されている配置画像を前記基準線に平行な所定の間隔の境界線によって区分し第１〜Ｎ番目のＮ個の帯画像領域を生成し帯画像領域記憶手段に記憶する帯画像領域生成手段と、ｐを１，２，・・・，ｍかつｑを０，１，２，・・・かつ（ｐ＋ｑ×ｍ）≦Ｎの条件下において前記帯画像領域記憶手段が記憶する第（ｐ＋ｑ×ｍ）番目の帯画像領域でかつ前記第ｐ絵柄が存在する部分を前記配置画像記憶手段が記憶する前記配置画像に基づいて判定し該部分に前記万線パターン記憶手段が記憶する前記第ｐ万線パターンを貼り付け、前記条件下において前記帯画像領域記憶手段が記憶する前記第（ｐ＋ｑ×ｍ）番目の帯画像領域でかつ前記第ｐ絵柄が存在しない部分を前記配置画像記憶手段が記憶する前記配置画像に基づいて判定し該部分に前記万線パターン記憶手段が記憶する前記第（ｍ＋１）万線パターンを貼り付けることにより万線画像を生成し万線画像記憶手段に記憶する万線画像生成手段とを有するようにしたものである。本発明によれば、照明の方向や見る角度によって２つ以上の絵柄の内の１つを明瞭に視認できる箔押しを得るための箔押し用版の原画を自動生成し、作業負荷を大幅に軽減することができる製版システムが提供される。
【００１０】
また、本発明の請求項３に係る箔押し用版製版システムは、請求項２記載の箔押し用版製版システムにおいて、前記万線画像を透明フィルムに形成し原版フィルムを生成するフィルム出力手段と、感光性レジスト膜を形成した箔押し用版に用いる金属板において、前記感光性レジスト膜と前記原版フィルムとを密着露光する露光手段と、前記露光済の感光性レジスト膜を現像する現像手段と、前記現像済の感光性レジスト膜を介して前記箔押し用版に用いる金属板をエッチングする腐食手段と、前記エッチング済の箔押し用版に用いる金属板から前記現像済の感光性レジスト膜を剥離する剥離手段とを有するようにしたものである。本発明によれば、フォトエッチングプロセスによって箔押し用版が得られる。
【００１１】
【発明の実施の形態】
次に、本発明について実施の形態を説明する。本発明の箔押し用版製版システムについて説明する。本発明の箔押し用版についても、その製版システムにおける処理過程において詳細な説明が行われる。本発明の箔押し用版製版システムの構成を図１に示す。図１において、１は本体、２は入力部、３は出力部である。また、本体１において、４はインタフェース部、５は処理部、６は記憶部である。また、処理部５において、１１は万線パターン生成手段、１２は絵柄配置手段、１３は帯画像領域生成手段、１４は万線画像生成手段である。また、記憶部６が記憶するデータとして、２１は絵柄、２２は万線パターン、２３は配置画像、２４は帯画像領域、２５は万線画像である。
【００１２】
箔押し用版製版システムの本体１は、パーソナルコンピュータ、ワークステーション等のデータ処理装置のハードウェアとソフトウェアによって実現される。入力部２は、キーボード、マウス等から成り、出力部３は、ディスプレイ、プロッタ、フィルム出力装置等から成る。オペレータはＧＵＩ（graphical user interface）環境においてこのシステムを操作する。プロッタは作成した万線画像２５を用紙に描画する等のためのものである。フィルム出力装置は作成した万線画像２５を光透過性のフィルムに出力し原版フィルムを得るためのものである。
【００１３】
本体１においてインタフェース部４は、入力部２と出力部３との入出力に関するデータ処理を行う。また、図１には示してないが、インタフェース部４は、ＬＡＮ（local area network）等の通信回線を介して、通信回線に接続された外部システムと箔押し用版製版システムとがデータ送信受信を行うためのデータ処理を行う。たとえば、箔押し用版の元々の絵柄は外部のデザインシステムで作成しておき、データベースシステムに登録しておく。そして製版するときに、その登録された元々の絵柄をＬＡＮを介して箔押し用版製版システムに入力する構成とすることができる。
【００１４】
本体１の処理部５はデータ処理を実行する部分であり、記憶部６はデータ処理前とデータ処理後におけるデータを記憶する部分である。処理部５は主としてプログラムによって制御された動作を行うＣＰＵ（central processor unit）から成る。また、記憶部６はＲＡＭ（random access memory）等の主メモリやハードディスク記憶装置等から成る。
【００１５】
処理部５において、万線パターン生成手段１１は、絵柄記憶手段に記憶されている複数の絵柄を第１絵柄〜第ｍ絵柄から成るｍ個の絵柄とするとき、基準線と万線の成す角度が互いに異なる第１万線パターン〜第（ｍ＋１）万線パターンから成る（ｍ＋１）個の万線パターンを生成し万線パターン記憶手段に記憶する。絵柄配置手段１２は、配置指示入力に基づいて、第１絵柄〜第ｍ絵柄を配置し配置画像を生成し配置画像記憶手段に記憶する処理を行う。また、帯画像領域生成手段１３は、配置画像記憶手段に記憶されている配置画像を基準線に平行な所定の間隔の境界線によって区分し第１〜Ｎ番目のＮ個の帯画像領域を生成し帯画像領域記憶手段に記憶する処理を行う。また、万線画像生成手段１４は、帯画像領域記憶手段に記憶されている所定の帯画像領域に所定の万線パターンを形成することにより万線画像を生成し万線画像記憶手段に記憶する処理を行う。
【００１６】
記憶部６において、絵柄２１は、たとえば前述のＬＡＮを介して箔押し用版製版システムに入力する等の方法で箔押し用版製版システムに入力する。ここでは、絵柄２１は、第１絵柄〜第ｍ絵柄のｍ個の絵柄から成る。また、万線パターン２２は、前述の万線パターン生成手段１１が生成したデータである。前述の万線パターン記憶手段は記憶部６において万線パターン２２を記憶する部分に相当する。また、配置画像２３は、前述の絵柄配置手段１２が生成したデータである。前述の配置画像記憶手段は記憶部６において配置画像２３を記憶する部分に相当する。また、帯画像領域２４は、前述の帯画像領域生成手段１３が生成したデータである。前述の帯画像領域記憶手段は記憶部６において帯画像領域２４を記憶する部分に相当する。また、万線画像２５は、前述の万線画像生成手段１４が生成したデータである。前述の万線画像記憶手段は記憶部６において万線画像２５を記憶する部分に相当する。
【００１７】
以上の構成において、次に、本発明の箔押し用版製版システムの動作について説明する。本発明の箔押し用版製版システムにおいて処理が行われるデータの形態を模式図として図２、図３に示す。図２、図３において、（Ａ）は第１絵柄、（Ｂ）は第２絵柄、（Ｃ）は第３絵柄、（Ｄ）は配置画像、（Ｅ）は帯画像領域、（Ｆ）は万線画像、（Ｇ）は万線画像の第１絵柄単独領域、（Ｈ）は万線画像の背景領域、（Ｉ）は万線画像の第１，３絵柄重複領域、（Ｊ）は万線画像の第３絵柄単独領域、（Ｋ）は万線画像の第２絵柄単独領域、（Ｌ）は万線画像の第１，２絵柄重複領域、（Ｍ）は万線画像の第１，２，３絵柄重複領域、（Ｎ）は万線画像の第２，３絵柄重複領域の形態を示す模式図である。
【００１８】
また、本発明の箔押し用版製版システムにおける処理過程の概要をフロー図として図４に示す。本発明の箔押し用版製版システムは箔押し用版を製版するための原画を作成する過程と、原画に基づいて箔押し用版を作成する過程の２つの過程に大別することができる。図１に示した、箔押し用版製版システムの構成は前半の工程、すなわち原画を作成する工程に属するシステムの部分である。図４に示すように、この原画を作成する工程は、基本的に、（ｍ＋１）個の万線パターンを生成するステップＳ１、ｍ個の絵柄を配置するステップＳ２、配置した画像において帯画像領域を生成するステップＳ３、生成した帯画像領域に万線パターンを形成するステップＳ４から成る。
図１〜図４に基づいて、次に、本発明の箔押し用版製版システムの動作について説明する。無用な煩雑さを避け簡明とするため、図等の具体的な例としては絵柄の個数が３（ｍ＝３）として説明する。
【００１９】
製版に用いる絵柄が箔押し用版製版システムに存在しない場合には、オペレータは、まず、▲１▼前述のＬＡＮを介したデータ転送、▲２▼絵柄が描かれた用紙をスキャナーで読み取る、▲３▼ＭＯ（magneto-optical）ディスク等の記憶媒体から読み取る、等の方法によりシステムに入力する。入力した第１絵柄（Ａ）と第２絵柄（Ｂ）と第３絵柄（Ｃ）は記憶部６に絵柄２１として記憶する。ここで、第１絵柄（Ａ）と第２絵柄（Ｂ）と第３絵柄（Ｃ）は、連続的なトーンを有する濃淡画像ではなく、線画またはシルエット画のような２値画像である。また、図２においては、重なり具合が分かりやすいように輪郭線だけが示されている。実際は、第１絵柄（Ａ）は「△」ではなく「▲」のように描くべきであり、内部が「１」、外部が「０」のように図形の内外で異なった画素値を有する。第２絵柄（Ｂ）、第３絵柄（Ｃ）も同様である。
【００２０】
次に、万線パターン生成手段１１は、記憶部６に記憶されている絵柄２１が第１絵柄〜第ｍ絵柄から成るｍ個の絵柄とするとき、基準線と万線の成す角度が互いに異なる第１万線パターン〜第（ｍ＋１）万線パターンから成る（ｍ＋１）個の万線パターンを生成し万線パターン２２として記憶部６に記憶する。したがって、絵柄２１が第１絵柄〜第３絵柄から成る３個の絵柄であると、基準線と万線の成す角度が互いに異なる第１万線パターン〜第４万線パターンから成る４個の万線パターンを生成し万線パターン２２として記憶部６に記憶する。最も単純な万線パターンを生成する方法は、∠３６０度を（ｍ＋１）で割り算し、等角度間隔の万線角度を有する（ｍ＋１）個の万線パターンを生成する方法である。したがって、ｍ＝３であると、∠Ａ＝∠７２度、∠Ｂ＝∠１４４度、∠Ｃ＝∠２１６度、∠Ｄ＝∠２８８度の４つの角度を有する万線パターンが生成される。
【００２１】
万線パターンが箔押し用版製版システムに存在しない場合には、オペレータは、▲１▼前述のＬＡＮを介したデータ転送、▲２▼ＭＯ（magneto-optical）ディスク等の記憶媒体から読み取る、等の方法によりシステムに入力することもできる。ここでは、万線パターンは、万線角度が異なる（ｍ＋１）個の万線パターンの組みとして取り扱われる。したがって、所定の万線角度、所定の万線間隔の基準となる万線パターンを用意し、その基準となる万線パターンを前述のようにして演算した角度で回転して、（ｍ＋１）個の万線パターンの組みを生成してもよい。
【００２２】
また、万線間隔は、箔押し用版のサイズによって適正な値が存在し、版のサイズの１／６０００〜１／１５０とすると得られる効果と取り扱うデータ容量とのバランスがよい。たとえば、版の対角サイズが１０ｃｍ程度の場合には、万線間隔は０．１ｍｍとする。また、万線の幅は、万線の部分が箔押し用版の凸部となる場合には万線間隔の約１／２またはそれよりも細くする。逆に、万線の幅は、万線の部分が箔押し用版の凹部となる場合には万線間隔の約１／２またはそれよりも太くする。
このような形態を有する万線パターンの組みは、前述のように入力または生成して記憶部６に万線パターン２４として記憶する（ステップＳ１）。
【００２３】
次に、オペレータは、出力部３のディスプレイをモニターしながら、入力部２のマウス、キーボードを操作して、製版する箔押し用版の外形を示す枠（たとえば矩形枠）を指定するとともに、第１絵柄（Ａ）と第２絵柄（Ｂ）と第３絵柄（Ｃ）をその枠の内部に配置する指定を行う。このオペレータの配置指示入力に基づいて、絵柄配置手段１２は第１絵柄（Ａ）と第２絵柄（Ｂ）と第３絵柄（Ｃ）を配置し、配置画像（Ｄ）を生成する。また、配置した画像である配置画像（Ｄ）は記憶部６に配置画像２３として記憶する（ステップＳ２）。
【００２４】
配置画像２３において、各画素はすくなくともｍビットの画素値を有する。ｍ＝３であると、たとえば、背景領域の画素の画素値は（０００）、第１絵柄単独領域の画素の画素値は（００１）、第２絵柄単独領域の画素の画素値は（０１０）、第１，２絵柄重複領域の画素の画素値は（０１１）、第１，３絵柄重複領域の画素の画素値は（１０１）、第２，３絵柄重複領域の画素の画素値は（１１０）、第１，２，３絵柄重複領域の画素の画素値は（１１１）の値を有する。
【００２５】
次に、オペレータは、帯画像領域を生成する指示を箔押し用版製版システムに与える。そのとき、生成する帯の幅と、帯の長手方向となる基準線を指定する。帯の幅は箔押し用版のサイズによって適正な値が存在し、版のサイズの１／２０００〜１／５０とすると得られる効果と取り扱うデータ容量とのバランスがよい。この帯の幅は前述の万線間隔に対して３倍の寸法である。たとえば、版の対角サイズが１０ｃｍ程度の場合には、帯の幅を０．３ｍｍとする。
基準線としては、特別な効果を狙うのでなければ、水平方向（左右方向）または垂直方向（天地方向）のいずれかを指定する。この帯の幅と基準線の指定は、その都度オペレータが指示入力するのではなく、指示入力がない場合には所定のデフォルト値を用いるようにすると便利である。
【００２６】
前述の帯画像領域を生成する指示があると、帯画像領域生成手段１３は、帯の幅と基準線の指定に基づいて配置画像（Ｄ）を基準線に平行な所定の間隔の境界線によって区分し第１〜Ｎ番目のＮ個の帯画像領域（Ｅ）を生成する。また、生成した帯画像領域（Ｅ）は記憶部６に帯画像領域２４として記憶する（ステップＳ３）。
【００２７】
図２に示すように帯画像領域（Ｅ）は水平方向を基準線としたものである。また、生成した領域である帯画像領域（Ｅ）は記憶部６に帯画像領域２４として記憶する。配置画像２３を画素の集合であると見做すとき、帯画像領域２４は、その集合の部分集合を定義するデータである。すなわち、ｉ行ｊ列の画素から成る配置画像２３における画素（ｉ，ｊ）の各々が第１〜Ｎ帯画像領域のどこに属するかを示すデータである。
【００２８】
次に、万線画像生成手段１４は、ｐを１，２，・・・，ｍかつｑを０，１，２，・・・かつ（ｐ＋ｑ×ｍ）≦Ｎの条件下において記憶部６に記憶されている帯画像領域２４の第（ｐ＋ｑ×ｍ）番目の帯画像領域でかつ第ｐ絵柄が存在する部分を記憶部６に記憶されている配置画像２３に基づいて判定しその部分に記憶部６が記憶している万線パターン２２の第ｐ万線パターンを貼り付け、前述の条件下において帯画像領域２４の第（ｐ＋ｑ×ｍ）番目の帯画像領域でかつ第ｐ絵柄が存在しない部分を配置画像２３に基づいて判定しその部分に万線パターン２２の第（ｍ＋１）万線パターンを貼り付けることにより万線画像を生成し万線画像記憶手段に記憶する。
【００２９】
ｍ＝３，Ｎ＝１００であると、ｐ＝１，２，３である。また、（ｐ＋ｑ×ｍ）≦Ｎの条件は、（ｐ＋ｑ×３）≦１００となるから、ｐ＝１のときｑ＝０，１，２，・・・，３３、ｐ＝１，２のときｑ＝０，１，２，・・・，３２である。
ｐ＝１のとき、万線画像生成手段１４は、帯画像領域２４の第１，４，７，・・・，９７，１００番目の帯画像領域でかつ第１絵柄が存在する部分を配置画像２３に基づいて判定しその部分に万線パターン２２の第１万線パターンを貼り付ける。また、前述の条件下において帯画像領域２４の第１，４，７，・・・，９７，１００番目の帯画像領域でかつ第１絵柄が存在しない部分を配置画像２３に基づいて判定しその部分に万線パターン２２の第４万線パターンを貼り付ける。
【００３０】
ｐ＝２のとき、万線画像生成手段１４は、帯画像領域２４の第２，５，８，・・・，９８番目の帯画像領域でかつ第２絵柄が存在する部分を配置画像２３に基づいて判定しその部分に万線パターン２２の第２万線パターンを貼り付ける。また、前述の条件下において帯画像領域２４の第２，５，８，・・・，９８番目の帯画像領域でかつ第２絵柄が存在しない部分を配置画像２３に基づいて判定しその部分に万線パターン２２の第４万線パターンを貼り付ける。
【００３１】
ｐ＝３のとき、万線画像生成手段１４は、帯画像領域２４の第３，６，９，・・・，９９番目の帯画像領域でかつ第３絵柄が存在する部分を配置画像２３に基づいて判定しその部分に万線パターン２２の第３万線パターンを貼り付ける。また、前述の条件下において帯画像領域２４の第３，６，９，・・・，９９番目の帯画像領域でかつ第３絵柄が存在しない部分を配置画像２３に基づいて判定しその部分に万線パターン２２の第４万線パターンを貼り付ける。
【００３２】
上述のようにして万線画像２５を生成し記憶部６に記憶する。この万線画像２５において第１絵柄が単独で存在する第１絵柄単独領域（Ｇ）は、図３に示すように、基準線と万線の成す角度が∠Ａ＝∠７２度の第１絵柄を現す第１万線パターンと、基準線と万線の成す角度が∠Ｄ＝∠２８８の背景を現す第４万線パターンとによって形成される。
【００３３】
また、この万線画像２５において第２絵柄が単独で存在する第２絵柄単独領域（Ｋ）は、図３に示すように、基準線と万線の成す角度が∠Ｂ＝∠１４４度の第２絵柄を現す第２万線パターンと、基準線と万線の成す角度が∠Ｄ＝∠２８８の背景を現す第４万線パターンとによって形成される。
【００３４】
また、この万線画像２５において第３絵柄が単独で存在する第３絵柄単独領域（Ｊ）は、図３に示すように、基準線と万線の成す角度が∠Ｃ＝∠２１６度の第３絵柄を現す第３万線パターンと、基準線と万線の成す角度が∠Ｄ＝∠２８８の背景を現す第４万線パターンとによって形成される。
【００３５】
また、この万線画像２５において第１，２絵柄が重複して存在する第１，２絵柄重複領域（Ｌ）は、図３に示すように、基準線と万線の成す角度が∠Ａ＝∠７２度、∠Ｂ＝∠１４４度の第１，２絵柄を現す第１，２万線パターンと、基準線と万線の成す角度が∠Ｄ＝∠２８８の背景を現す第４万線パターンとによって形成される。
【００３６】
また、この万線画像２５において第１，３絵柄が重複して存在する第１，３絵柄重複領域（Ｉ）は、図３に示すように、基準線と万線の成す角度が∠Ａ＝∠７２度、∠Ｃ＝∠２１６度の第１，３絵柄を現す第１，３万線パターンと、基準線と万線の成す角度が∠Ｄ＝∠２８８の背景を現す第４万線パターンとによって形成される。
【００３７】
また、この万線画像２５において第２，３絵柄が重複して存在する第２，３絵柄重複領域（Ｎ）は、図３に示すように、基準線と万線の成す角度が∠Ｂ＝∠１４４度、∠Ｃ＝∠２１６度の第２，３絵柄を現す第２，３万線パターンと、基準線と万線の成す角度が∠Ｄ＝∠２８８の背景を現す第４万線パターンとによって形成される。
【００３８】
また、この万線画像２５において第１，２，３絵柄が重複して存在する第１，２，３絵柄重複領域（Ｍ）は、図３に示すように、基準線と万線の成す角度が∠Ａ＝∠７２度、∠Ｂ＝∠１４４度、∠Ｃ＝∠２１６度の第１，２，３絵柄を現す第１，２，３万線パターンによって形成される。
【００３９】
また、この万線画像２５において第１，２，３絵柄のいずれも存在しない背景領域（Ｈ）は、図３に示すように、基準線と万線の成す角度が∠Ｄ＝∠２８８の背景を現す第４万線パターンとによって形成される。
【００４０】
以上、本発明の箔押し用版製版システムの動作について説明した。上述のように、箔押し用版製版システムにおいては万線画像２５が得られる。この万線画像は箔押し用版そのものではなく、その原画である。この原画に基づいて原版フィルムを作成し、その原版フィルムに基づいて、フォトエッチング法、電離放射線硬化法、等により金属や耐熱性樹脂から成る箔押し用版を作成する。
【００４１】
次に、その原画に基づいて箔押し用版を作成する過程について説明する。本発明の箔押し用版製版システムにおいて原画から箔押し用版を作成する過程をフロー図として図５に示す。図５に基づいて説明する。まず、ステップＳ１１において、フィルム出力装置（図１参照）を用い、記憶部６に記憶されている万線画像２５を透明フィルムに形成し原版フィルムを生成する。原版フィルムは、箔押し用版において凸部となる部分が透明で、凹部となる部分が遮光されるパターン、すなわちネガパターンを有する。
【００４２】
次に、ステップＳ１２において、箔押し用版に用いる金属板に光硬化性の感光性レジスト膜を形成したものを用意しておく。そして、密着露光装置を用い感光性レジスト膜と原版フィルムとを密着露光する。金属板としては、銅、鉄、真鍮、等の金属または合金を使用することができる。次に、ステップＳ１３において、現像装置を用い、密着露光済の感光性レジスト膜を現像する。さらに、必要に応じて、その感光性レジスト膜を加熱処理し被膜を硬化させ、腐食レジストマスクを得る。次に、ステップＳ１４において、腐食装置を用い、その腐食レジストマスクを介して箔押し用版に用いる金属板をエッチングする。
【００４３】
次に、ステップＳ１５において、エッチング済の箔押し用版に用いる金属板から腐食レジストマスクを剥離する。以上のステップにより、金属板に万線画像（Ｅ）が形成される。さらに、このステップの後、箔押しが行われないようにする金属板の部分、すなわち、金属板の周囲部分だけをエッチングまたは機械加工によって掘り下げる処理が行われる。その他の必要とされる後処理がすべて行われ箔押し用版が完成する。
【００４４】
箔押し用版の断面形状と箔押しを行った用紙の断面形状を模式図として図６に示す。図６（Ａ）は押圧により版と用紙が接触した状態、図６（Ｂ）は離れた状態を示す。箔押し用版６１を用紙６２に押圧することによりエンボシングが行われ用紙６２には凹凸形状が形成される。ただし、図６に示すように、箔押し用版６１の凹凸形状と用紙６２の凹凸形状は完全に一致するわけではない。箔押し用版６１の凹凸形状において、凹部の奥まったところまでは用紙６２は入り込まない。そのため用紙６２の凸部は半円柱の表面形状（蒲鉾形状）のような形状となる。勿論、この半円柱の軸方向は万線の方向と一致する。
【００４５】
図６では示してないが、箔押しを行う場合には、箔押し用版６１と用紙６２との間に箔押シートを介在させる。箔押しを行うことにより、金属箔は用紙６２の半円柱の表面を含む全表面に形成される。この金属箔により光の反射率が高まるとともに、半円柱の表面形状は特異な反射特性を有する。すなわち、同方向の光線を入射した場合においても、半円柱の軸方向によっては光線の反射方向による強度が異なるという、光反射における異方性を有することになる。このため、光線の入射方向と観測者の視認方向を固定した場合においても、半円柱の軸方向によって、明るく見える領域と暗く見える領域の差異が生じる。したがって、本発明の箔押し用版を用いて箔押しを行った箔押し部分は、その面の傾きを変化させたり、見る角度を変えたり、光線の方向を変えることにより特定の絵柄だけを明るく見せることができる。
【００４６】
【発明の効果】
本発明の請求項１に係る箔押し用版によれば、２つ以上の絵柄が重なって存在するような場合においても、照明の方向や見る角度によって２つ以上の絵柄の内の１つを明瞭に視認できる箔押しを得るための箔押し用版が提供される。
【００４７】
また、本発明の請求項２に係る箔押し用版製版システムによれば、照明の方向や見る角度によって２つ以上の絵柄の内の１つを明瞭に視認できる箔押しを得るための箔押し用版の原画を自動生成し、作業負荷を大幅に軽減することができる製版システムが提供される。
また、本発明の請求項３に係る箔押し用版製版システムによれば、フォトエッチングプロセスによって箔押し用版が得られる。
【図面の簡単な説明】
【図１】本発明の箔押し用版製版システムの構成を示す図である。
【図２】本発明の箔押し用版製版システムにおいて処理が行われるデータの形態を示す模式図（その１）である。
【図３】本発明の箔押し用版製版システムにおいて処理が行われるデータの形態を示す模式図（その２）である。
【図４】本発明の箔押し用版製版システムにおける処理過程の概要を示すフロー図である。
【図５】本発明の箔押し用版製版システムにおいて原画から箔押し用版を作成する過程を示すフロー図である。
【図６】箔押し用版の断面形状と箔押しを行った用紙の断面形状を示す模式図である。
【符号の説明】
１  本体
２  入力部
３  出力部
４  インタフェース部
５  処理部
６  記憶部
１１  万線パターン生成手段
１２  絵柄配置手段
１３  帯画像領域生成手段
１４  万線画像生成手段
２１  絵柄
２２  万線パターン
２３  配置画像
２４  帯画像領域
２５  万線画像
６１  箔押し用版
６２  用紙
【図１】
0004437582.tif 000002
【図２】
0004437582.tif 000003
【図３】
0004437582.tif 000004
【図４】
0004437582.tif 000005
【図５】
0004437582.tif 000006
【図６】
0004437582.tif 000007